(57)【要約】【課題】  操作手順に沿った適切な高さとレイアウトを備え、操作性と視認性を良好にした小型化の現金自動預入支払機を提供する。【解決手段】  本体１０と、この本体１０の前面上部に配置されたフロントパネル２０とを備え、フロントパネル２０に操作画面３０と記録媒体読取部４０と金銭取扱部５０とを配置した現金自動預入支払機において、フロントパネル２０を現金自動預入支払機の設置面に対して所定の傾斜角で傾斜するパネル面２１を本体１０の前面上部に配置し、パネル面２１が少なくとも記録媒体読取部４０が収納される収納部２２を備え、操作画面３０をパネル面２１の上部に配置し、収納部２２を操作画面３０の下方で、操作画面３０よりも前方へ突出するように配置し、金銭取扱部５０を収納部２２の下方で、収納部２２よりも前方へ突出するように配置する。【選択図】  図１
2009086801.tif 000002
【特許請求の範囲】
【請求項１】
内部に操作表示部と記録媒体読取ユニットと金銭取扱ユニットとを備えた本体と、この本体の前面上部に配置されたフロントパネルとを備え、前記フロントパネルに前記操作表示部の前面を構成する操作画面と前記記録媒体読取ユニットの前面を構成する記録媒体読取部と前記金銭取扱ユニットの前面を構成する金銭取扱部とを配置した現金自動預入支払機において、
前記フロントパネルは、該現金自動預入支払機の設置面に対して所定の傾斜角で傾斜するパネル面を前記本体の前面上部に配置し、
前記パネル面は、少なくとも前記記録媒体読取部が収納される収納部を備え、
前記操作画面は、前記パネル面の上部に配置され、
前記収納部は、前記操作画面の下方で、前記操作画面よりも前方へ突出するように配置され、
前記金銭取扱部は、前記収納部の下方で、前記収納部よりも前方へ突出するように配置された
ことを特徴とする現金自動預入支払機。
【請求項２】
内部に操作表示部と記録媒体読取ユニットと金銭取扱ユニットとを備えた本体と、この本体の前面上部に配置されたフロントパネルとを備え、前記フロントパネルに前記操作表示部の前面を構成する操作画面と前記記録媒体読取ユニットの前面を構成する記録媒体読取部と前記金銭取扱ユニットの前面を構成する金銭取扱部とを配置した現金自動預入支払機において、
前記フロントパネルは、正面に形成された平坦なパネル面を有する板状の外観形状を備えると共に、該現金自動預入支払機の設置面に対して所定の傾斜角で傾斜した状態で前記本体の前面上部に配置され、
前記パネル面は、少なくとも前記記録媒体読取部が収納される収納部を備え、
前記収納部は、前記記録媒体読取部を収納する第１収納部と、該第１収納部の下方に配置される第２収納部とを備え、
前記操作表示部は、縦長の画面で構成されるとともに、前記パネル面に対して平行で、かつ前記パネル面から前記操作画面が露出するように傾斜して配置され、
前記第１収納部は、その収納口が前記操作画面の下方で前記パネル面に対して平行となるように傾斜して配置されるとともに、前記操作画面よりも前方へ突出するように配置され、
前記第２収納部は、その収納口が前記第１収納部の下方で前記パネル面に対して平行となるように傾斜して配置されるとともに、前記第１収納部よりも前方へ突出するように配置され、
前記金銭取扱部は、前記第２収納部の下方で前記パネル面に対して平行となるように傾斜して配置されるとともに、前記第２収納部よりも前方へ突出するように配置された
ことを特徴とする現金自動預入支払機。
【請求項３】
請求項１および請求項２に記載の現金自動預入支払機において、
前記フロントパネルは、２５度以上３５度以下の傾斜角で傾斜していることを特徴とする現金自動預入支払機。
【請求項４】
請求項１および請求項２に記載の現金自動預入支払機において、
前記収納部は、前記記録媒体読取部が配置される棚部を備え、
前記棚部は、前記操作画面よりも前方へ突出するように設けられていることを特徴とする現金自動預入支払機。
【請求項５】
請求項１および請求項２に記載の現金自動預入支払機において、
前記金銭取扱部は、内部に形成された金銭収納空間と、該金銭収納空間の開閉を行うシャッターと、前記金銭収納空間に配置されたトレーとを備え、
前記トレーは、前記シャッターの開閉動作に伴って移動することを特徴とする現金自動預入支払機。
【請求項６】
請求項５に記載の現金自動預入支払機において、
前記シャッターは、前記金銭取扱部の上部を開閉する第１シャッター部と、前記金銭取扱部の下部を開閉する第２シャッター部とを備え、
前記金銭取扱部は、前記第１シャッター部が開いて形成される紙幣投入口と、前記第２シャッター部が開いて形成される紙幣排出口とを備え、
前記トレーは、前記第２シャッター部の開閉動作に伴って移動することを特徴とする現金自動預入支払機。
【請求項７】
内部に操作表示部と記録媒体読取ユニットと金銭取扱ユニットとを備えた本体と、この本体の前面上部に配置されたフロントパネルとを備え、前記フロントパネルに前記操作表示部の前面を構成する操作画面と前記記録媒体読取ユニットの前面を構成する記録媒体読取部と前記金銭取扱ユニットの前面を構成する金銭取扱部とを配置した現金自動預入支払機において、
前記フロントパネルは、該現金自動預入支払機の設置面に対して所定の傾斜角で傾斜した状態で前記本体の高さ方向の前面を構成するパネル面と、前記パネル面の下端から前方に突出するテーブル面とを備えるとともに、前記パネル面と前記テーブル面とで支えられるように設けられ、かつ所定の傾斜角で傾斜した突出部を備え、
前記突出部は、少なくとも前記記録媒体読取部が収納される収納部を備え、
前記操作表示部は、縦長の画面で構成されるとともに、前記パネル面に対して平行で、かつ前記パネル面から前記操作画面が露出するように傾斜して配置され、
前記操作画面は、上下に分割された第１操作表示画面と第２操作表示画面とを備え、
前記収納部は、その収納口が前記操作画面の下方で前記突出部の前面に対して平行となるように傾斜して配置されるとともに、前記操作画面よりも前方へ突出するように配置され、
前記金銭取扱部は、前記収納部の下方で前記突出部の前面に対して平行となるように傾斜して配置されるとともに、前記収納部よりも前方へ突出するように配置された
ことを特徴とする現金自動預入支払機。
【請求項８】
請求項７に記載の現金自動預入支払機において、
前記パネル面と前記突出部は、３５度以上４５度以下の傾斜角で傾斜していることを特徴とする現金自動預入支払機。
【請求項９】
請求項７に記載の現金自動預入支払機において、
前記金銭取扱部は、紙幣取扱口と硬貨取扱口とを備え、
前記紙幣取扱口は、内部に形成された紙幣収納空間と、該紙幣収納空間の上部を開閉する第１シャッター部と、該紙幣収納空間の下部を開閉する第２シャッター部と、前記紙幣収納空間に配置された第１トレーとを備え、
前記硬貨取扱口は、内部に形成された硬貨収納空間と、該硬貨収納空間の上部を開閉する第３シャッター部と、該硬貨収納空間の下部を開閉する第４シャッター部と、前記硬貨収納空間に配置された第２トレーとを備え、
前記第１トレーは、前記第１シャッター部あるいは前記第２シャッター部の開閉動作に伴って移動し、前記第２トレーは、前記第３シャッター部あるいは前記第４シャッター部の開閉動作に伴って移動することを特徴とする現金自動預入支払機。
【発明の詳細な説明】
【技術分野】
【０００１】
本発明は、各種の取引を自動的に行う自動取引装置、特に、現金の入出金を自動的に行う現金自動預入支払機（以下、ＡＴＭという）に関する。
【背景技術】
【０００２】
自動取引装置による取引、例えば、ＡＴＭによる現金の取引は、ＡＴＭの正面に配置されたカード挿入口に、磁気カードを利用したキャッシュカードやクレジットカード等の情報記録媒体を挿入し、操作画面に表示された案内に従って操作することで、現金の引き出しや預け入れ等の取引を行うようになっている。
【０００３】
従来、このようなＡＴＭは、図２２で示すような外観構造を備えており、主に金融機関の店舗やコンビニエンスストア等に設置されている。例えば、金融機関の店舗には、主に図２２（ａ）で示すような外観構造を備えたＡＴＭ９００（以下、金融機関向けＡＴＭという）が設置され、コンビニエンスストアには、主に図２２（ｂ）で示すような外観構造を備えたＡＴＭ９１０（以下、コンビニ向けＡＴＭという）が設置されている。
【０００４】
これらのＡＴＭは、フロントパネル９２０を備えた本体の内部に、操作表示部やカードリーダ、紙幣ユニット等の各種機器が配置されており、操作表示部の操作画面９３０やカードリーダの前面に設けられたカード挿入排出口９４０、紙幣ユニットの前面に設けられた紙幣入出金口９５０が、本体正面（フロントパネル９２０）から露出するように構成されている。
【０００５】
特に、コンビニ向けＡＴＭ９１０においては、本体内部に配置される操作表示部とカードリーダと紙幣ユニットとを、上から順番に縦並びで配置した構成を備え、操作画面９３０とカード挿入排出口９４０が本体正面の垂直面に露出するように配置され、紙幣入出金口９５０が本体の水平面から露出するように構成されている。
【０００６】
一方、これらのＡＴＭにおいては、磁気カードを利用した取引に加え、非接触カードを利用した取引も行えるようにしたものが知られている。このような非接触式記録媒体を用いた取引においては、例えば、図２２で示すように、読取部９６０に非接触カードや携帯電話機等の非接触式記録媒体をかざしたり置いたりし、操作画面に表示された案内に従って操作することで、各種の取引を行うようになっている。
【０００７】
【特許文献１】特開２００６−７９３８４号公報
【発明の開示】
【発明が解決しようとする課題】
【０００８】
従来のＡＴＭ、例えば、コンビニ向けＡＴＭ９１０においては、本体内部に配置される操作表示部とカードリーダと紙幣ユニット等の各機器を縦置きで配置することにより、ＡＴＭの奥行方向の大きさを小さくし、設置面積を小さくしている。しかしながら、各機器を縦置きで配置することにより、操作画面９３０が本体の正面上方の高い部分に位置することとなり、ＡＴＭ９１０の操作時における利用者の視線が高くなってしまう。特に、図２２（ｄ）で示すように、車いす利用者にとっては、操作時における視線が相当に高くなってしまうので、ＡＴＭ９１０が操作しにくいという課題がある。
【０００９】
一方、従来の金融機関向けＡＴＭ９００においては、本体内部に配置される各ユニットを横並びに配置した構成としている。このような構成とすることにより、ＡＴＭの全高を低くすることができ、ＡＴＭ９００の操作時における利用者の視線を下げることができる。しかしながら、ＡＴＭ９００の利用者によっては、操作画面９３０の位置が低すぎるという課題がある。
【００１０】
また、従来のＡＴＭにおいては、非接触カードや携帯電話機等の非接触式記録媒体に記録された情報を読み取るための読取部を９６０が、本体の水平面に配置されている。この読取部９６０は、ＡＴＭの操作手順を考慮すると、操作画面９３０の近くに配置することが望ましい。特に、コンビニ向けＡＴＭ９１０においては、操作画面９３０の近くに読取部９６０を配置する場合、操作画面９３０が本体の垂直面に配置されていることから、この垂直面に非接触式記録媒体を収納するためのスペースが必要となる。このため、このスペースの分だけＡＴＭの全高が高くなってしまい、結果として、操作画面９３０の位置がさらに高くなり、ＡＴＭの操作時における視認性や操作性が低下してしまうという課題がある。
【００１１】
そこで、本発明の目的は、操作手順に沿った適切な高さとレイアウトを備え、操作性と視認性を良好にした小型化の現金自動預入支払機を提供する。
【課題を解決するための手段】
【００１２】
前記目的を達成するため、本発明に係る現金自動預入支払機は、本体と、この本体の前面上部に配置されたフロントパネルとを備え、前記フロントパネルに操作画面と記録媒体読取部と金銭取扱部とを配置した現金自動預入支払機において、前記フロントパネルを該現金自動預入支払機の設置面に対して所定の傾斜角で傾斜するパネル面を前記本体の前面上部に配置し、前記パネル面が少なくとも前記記録媒体読取部が収納される収納部を備え、前記操作画面を前記パネル面の上部に配置し、前記収納部を前記操作画面の下方で、前記操作画面よりも前方へ突出するように配置し、前記金銭取扱部を前記収納部の下方で、前記収納部よりも前方へ突出するように配置する。
【発明の効果】
【００１３】
本発明によれば、所定の角度で傾斜したフロントパネルの上部に操作画面を配置し、収納部を操作画面の下方で、操作画面よりも前方に突出するように配置し、金銭取扱部を収納部の下方で、収納部よりも突出するように配置することで、操作手順に沿って操作画面と収納部と金銭取扱部が段差構成をなすように配置されるので、ＡＴＭの全高が低くすることができる。また、ＡＴＭの全高が低くなることで、利用時における利用者の視点が低くなり、操作画面や記録媒体読取部、金銭取扱部の操作性や視認性を良好にすることができ、かつ小型化が可能な現金自動預入支払装置を提供することができる。
【発明を実施するための最良の形態】
【００１４】
以下、図１から図２１を参照して、本発明に係る金銭自動取引装置について、ＡＴＭを例として具体的に説明する。ここで、図１から図１１が第１の実施形態、図１２から図１９が第２の実施形態、図２０が第３の実施形態、図２１が第４の実施形態を示している。
【００１５】
（第１の実施形態）
図１から図１１を参照して、本発明の第１の実施形態に係るＡＴＭを具体的に説明する。先ず、図１および図２を参照してＡＴＭの概略構造を説明する。図１は、ＡＴＭの外観構造を示す図であり、図１（ａ）は斜視図、図１（ｂ）は部分拡大図、図１（ｃ）は部分拡大断面図である。図２は、ＡＴＭの部分概略構成を示す図であり、図２（ａ）は従来のＡＴＭの部分概略構成図、図２（ｂ）は第１の実施形態に係るＡＴＭの部分概略構成図である。
【００１６】
図１において、符号１で総括的に示すＡＴＭは、内部に操作表示部や各種の取引処理を行う複数の取引処理ユニットを有する本体１０と、この本体１０の前面に配置されたフロントパネル２０とを備え、このフロントパネル２０に配置された操作画面３０と記録媒体読取部４０と金銭取扱部５０と、本体１０の前面下部に形成された空間６０とを含んで構成される。
【００１７】
本体１０は、その前面上部が垂直方向（高さ方向）に対して傾斜した外観構造を備えるとともに、この傾斜した部分に形成された図示しない開口部を備えており、この開口部から操作表示部の前面（操作画面３０）と、本体１０の内部に収納された各種の取引処理を行う複数の取引処理ユニットの前面、例えば、図示しない記録媒体読取ユニットの前面に配置された記録媒体読取部４０や、図示しない金銭取扱ユニット（紙幣ユニット）の前面に配置された金銭取扱部５０等が露出するように、操作表示部と記録媒体読取ユニットや紙幣ユニット等の各種取引処理ユニットが本体１０の内部で縦置きに配置されている。そして、操作画面３０と各種取引処理ユニットの前面が露出した開口部を、フロントパネル２０で覆うことにより、操作画面３０と各種取引処理ユニットの前面、例えば、記録媒体読取部４０や金銭取扱部５０等がフロントパネル２０に配置されるようになっている。
【００１８】
フロントパネル２０は、本体１０の前面上部を構成するパネル面２１と、このパネル面２１に形成された収納部２２と図示しない２つの開口部とを備えている。２つの開口部は、収納部２２を挟むように形成されており、収納部２２の上方に形成された開口部には操作表示部の操作画面３０が配置され、収納部２２の下方に形成された開口部には金銭取扱部５０が配置されるようになっている。また、収納部２２には記録媒体読取部４０が配置されるようになっている。
【００１９】
収納部２２は、第１棚部２３を備えた第１収納部２４と、第２棚部２５を備えた第２収納部２６とからなる２段構成となっており、この第１収納部２４および第２収納部２６には、記録媒体読取部４０や機能拡張用の外部機器等が配置されるようになっている。この実施形態では、第１収納部２４に記録媒体読取部４０、第２収納部２６に機能拡張用の外部機器としてテンキー４１を配置した構成としている。なお、この実施形態では、第２収納部２６にテンキー４１を配置しているが、その他の外部機器、例えば、生体認証装置を配置するようにしても良い。
【００２０】
操作画面３０は、縦長長方形の外観形状を備えており、ＡＴＭ１の前面上部に縦長の状態（縦画面）で配置されるようになっている。また、操作画面３０はタッチパネルを備えており、このタッチパネルを介して操作画面３０上に表示された各種の操作ボタン、例えば、取引項目を示す操作ボタンを操作することができるようになっている。
【００２１】
金銭取扱部５０は、上下に２分割されたシャッターを備えており、このシャッターは、金銭取扱部５０の上方に配置された第１シャッター部５１と、金銭取扱部５０の下方に配置された第２シャッター部５２とから構成されている。また、空間６０は、主に、車いす利用者がＡＴＭ１を使用する際に下肢を収納する収納空間として使用されるようになっている。
【００２２】
このような構成からなるＡＴＭ１による取引操作は、先ず、利用者が操作画面３０に表示された複数の取引項目から所望の取引項目を選択し、タッチパネルを介して取引項目が表示された操作ボタンを操作することにより、取引項目を決定する。取引項目が決定したら、操作画面３０に表示される操作案内に従い、例えば、図１（ｃ）で示すように、操作画面３０の下方に配置された記録媒体読取部４０から磁気カードを利用したキャッシュカードやクレジットカード等のカード型記録媒体４５を磁気カードリーダ２８に挿入したり、あるいは記録媒体読取部４０に非接触カードや携帯電話機等の非接触型記録媒体４６をセットする。そして、記録媒体読取部４０の下方に配置されたテンキー４１を操作して暗証番号や取引金額の入力を行い、操作画面３０上で取引金額の確認が終了すると、取引内容に対応して第１シャッター部５１あるいは第２シャッター部５２が開き、現金の入金や出金等の取引が行われるようになっている。なお、この実施形態では、暗証番号や取引金額の入力をテンキー４１により行っているが、操作画面３０にテンキーを表示し、タッチパネルを介してテンキーを操作することにより、暗証番号や取引金額を入力するようにしても良い。
【００２３】
この実施形態に係るＡＴＭ１の大きな特徴は、操作画面３０と収納部２２と金銭取扱部５０が、本体１０の正面で上から順に、段差構成をなすように配置された点にある。具体的には、図１で示すように、操作画面３０と収納部２２と金銭取扱部５０とが、ＡＴＭ１の設置面に対して所定の角度で傾斜して設けられたフロントパネル２０から露出するように配置されることにより、操作画面３０の下方に配置された収納部２２が操作画面３０よりも張り出した状態となるように構成され、また収納部２２の下方に配置された金銭取扱部５０が収納部２２よりも張り出した状態となるように構成される。
【００２４】
このような構成とすることにより、ＡＴＭ１の操作手順、即ち、操作画面３０に表示された取引項目の選択、記録媒体の挿入や載置、テンキー４１の操作による暗証番号や取引金額の入力、金銭取扱部５０を介して現金（紙幣）の入金あるいは出金するまでの一連の動作に合わせて、操作画面３０、記録媒体読取部４０、テンキー４１、金銭取扱部５０を上から順番に段差構成をなすように配置しているので、ＡＴＭ１の操作手順を視覚的にわかりやすくすることができる。しかも、下方に配置されるものが、上方に配置されたものよりも張り出して配置されるので、各部の視認性や取扱性が良好となり、ＡＴＭ１の操作性を向上させることができる。
【００２５】
また、この実施形態に係るＡＴＭ１の他の大きな特徴は、収納部２２を第１収納部２４と第２収納部２６とからなる２段構成とし、第１収納部２４に記録媒体読取部４０を配置し、第２収納部２６にテンキー４１や生体認証装置等の外部機器を配置できるようにした点にある。具体的には、第１収納部２４に設けられた第１棚部２３に凹部を形成し、この凹部に、例えば、非接触カードリーダの読取面等からなる記録媒体読取部４０を配置した構成としている。また、第２収納部２６に設けられた第２棚部２５に開口部を形成し、この開口部からテンキー４１や生体認証装置等の外部機器が露出するように配置した構成としている。
【００２６】
この２段構成の収納部２２を、例えば、従来のコンビニ向けＡＴＭ９１０に採用した場合、図２（ａ）で示すように、僅かに傾斜した本体の正面の垂直面に、第１収納部２４および第２収納部２６が縦置き状態で形成される。そして、この第１収納部２４および第２収納部２６は、それぞれの収納口（手前側）２４ａ、２６ａの大きさｈ１と、後方（奥行側）２４ｂ、２６ｂの大きさｗ１の大きさが等しい形状となっている。
【００２７】
このようなＡＴＭにより各種の取引を行う場合、第１収納部２４に設けられた第１棚部２３に形成された凹部に沿ってカード型記録媒体４５を挿入したり、あるいは凹部に非接触型記録媒体４６をセットし、操作画面３０を操作することにより各種の取引を行うようになっている。このため、例えば、非接触型記録媒体４６を使用して取引する場合、非接触型記録媒体４６に記録された情報を読み取るための非接触カードリーダ２７を第１棚部２３に対して平行となるように縦置きで配置する必要がある。そして、非接触カードリーダ２７を設けることにより、結果として、ＡＴＭの全高が非接触カードリーダ２７の大きさの分だけさらに高くなってしまう。
【００２８】
また、第１収納部２４に非接触式記録媒体４６をセットする際、第１収納部２４の収納口２４ａが垂直に形成されていることから、利用者から見ると収納口２４ａの開口面積が狭くなっているように見える。このため、非接触式記録媒体４６を第１収納部２４にセットしにくく、その視認性も低下してしまう。また、第１収納部２４の下方に配置された第２収納部２６においては、その収納口２６ａがさらに狭くなっているように見えるため、第２収納部２６に配置されたテンキー４１を操作する際の操作性や視認性が低下することとなる。
【００２９】
一方、従来のコンビニ向けＡＴＭ９１０において、第１収納部２４の収納口２４ａおよび第２収納部２６の収納口２６ａを大きく傾けると、収納口２４ａ、２６ａの傾きに伴って第１棚部２３と第２棚部２５も傾くことになる。このため、非接触型記録媒体４６を、例えば、第１棚部２３に形成された記録媒体保持部４０にセットした場合、非接触カードや携帯電話機等の非接触型記録媒体４６が傾いた状態でセットされることになり、その保持性が低下することになる。また、第１収納部２４の収納口２４ａおよび第２収納部２６の収納口２６ａを傾けると、第１収納部２４の後方２４ｂおよび第２収納部２６の後方２６ｂが本体１０の内部の下方へ張り出すことになるので、収納部２２より下方に配置される各取引ユニットの位置を更に下げなければならず、結果として、ＡＴＭ９１０全高が高くなってしまう。
【００３０】
これに対し、本発明は、図２（ｂ）で示すように、第１収納部２４の収納口２４ａおよび第２収納部２６の収納口２６ａの大きさｈ２を、第１収納部２４の後方２６ａおよび第２収納部２６の後方２６ｂの大きさｗ２よりも大きく構成し、かつ第２収納部２６が第１収納部２４よりも前方に突出した構成としている。また、本発明は、第１収納部２４の収納口２４ａおよび第２収納部２６の収納口２６ａを、パネル面２１に対して平行となるように傾斜して配置された構成としている。
【００３１】
このような構成とすることにより、第１収納部２４に形成された第１棚部２３と第２収納部２６に形成された第２棚部２５とが段差構成で配置されるので、第１収納部２４の収納口２４ａおよび第２収納部２６の収納口２６ａを広くすることができ、第１棚部２３にセットされる記録媒体の着脱しやすくするともに、第２棚部２５に配置されたテンキー４１の視認性や操作性を良好にすることができる。
【００３２】
また、このような構成とすることにより、第１棚部２３および第２棚部２５を低くすることができるとともに、ＡＴＭの全高を低くすることができるので、幅や奥行を狭くしたコンビニ向けＡＴＭおよび幅の広い金融機関向けＡＴＭの双方に対応することが可能な収納部２２とすることができる。
【００３３】
さらに、この実施形態では、第１収納部２４の収納口２４ａおよび第２収納部２６の収納口２６ａの大きさｈ２を、第１収納部２４の後方２４ｂおよび第２収納部２６の後方２６ｂの大きさｗ２よりも大きく構成することで、第１収納部２４と第２収納部２６との間に空間が形成され、この空間に非接触カードリーダ２７配置することで、ＡＴＭの全高を高くすることなく、非接触カードリーダ２７を配置することができる。加えて、第１棚部２３の水平状態が保てるので、例えば、非接触型記録媒体４６を第１棚部２３に形成された記録媒体保持部４０にセットして取引を行う場合、ＡＴＭの操作時における非接触型記録媒体４６の保持性を良好にすることができる。
【００３４】
また、本願発明は、図１（ｃ）で示すように、第２収納部２６に設けられた第２棚部２５が、ＡＴＭの設置面に対して僅かに傾斜するように配置された構成としている。このような構成とすることにより、第２棚部２５がより前方に突出することになるので、第２棚部２５に設けられるテンキー４１や生体認証装置等の外部機器の視認性や操作性をさらに向上させることができる。
【００３５】
次に、図３を参照して、本発明の第１の実施形態に係るＡＴＭの装置構成を説明する。図３は第１の実施形態に係るＡＴＭの装置構成を示すブロック図である。
【００３６】
図３において、ＡＴＭ１は、このＡＴＭ１を統括する制御部２００の統括の下、タッチパネルを備えた操作表示部３１と、ＩＤカードやキャッシュカード等のカード型記録媒体４５や携帯電話機等の非接触型記録媒体４６に記録された情報を読み取る記録媒体読取ユニット２２４と、利用明細書の印字を行う明細印字ユニット２１０と、ネットワーク３００を介してセンタ４００に接続するための伝送制御部２２０と、各種のデータを記憶する記憶装置部２３０と、硬貨の入出金を行う硬貨取扱ユニット２２５と、紙幣の入出金を行う紙幣取扱ユニット２２６と、電源部２２７と、センサ部２２８とを含んで構成される。
【００３７】
センタ４００は、顧客情報や商品情報、取引内容等の全ての情報を管理するものであり、ネットワーク３００を介してＡＴＭから送信される各種データ、例えば、入力された暗証番号による個人認証や、入力された取引金額の確認等を行うものである。また、センタ４００には、複数のＡＴＭがネットワーク３００を介して接続されている。
【００３８】
このような構成からなるＡＴＭ１による取引は、まず、利用者がＡＴＭ１の前に来ると、センサ部２２８は利用者がいることを検知する。制御部２００は、センサ部２２８からの信号に基づき、記憶装置部２３０からメニュー画面データを呼び出してメニュー画面を生成して操作画面３０に表示する。利用者はメニュー画面に表示された複数の取引項目から所望の取引項目を選択して操作すると、その操作指示に基づいて制御部２００が記憶装置部２３０から所定の取引画面データを呼び出して取引フローに沿った取引画面を生成して操作画面３０に表示する。利用者は操作画面３０に表示される案内画面に従って、暗証番号の入力や取引金額の入力、金銭の入出金等の操作を行うようになっている。
【００３９】
次に、図４を参照して、本発明の第１の実施形態に係るＡＴＭの操作性について説明する。図４は、ＡＴＭの操作状態を示す図であり、図４（ａ）が立位利用者による操作状態を示す図、図４（ｂ）が車いす利用者による操作状態を示す図である。
【００４０】
図４において、この実施形態に係るＡＴＭ１は、本体１０の前面にフロントパネル２０が所定の角度θ１の角度で傾斜した状態で配置されている。また、操作画面３０と収納部２２と金銭取扱部５０が、上から順番に、本体１０の垂直方向（高さ方向）に対して所定の角度θ１の角度で傾斜した状態、即ち、フロントパネル２０のパネル面２１に対して平行となるように配置されている。この実施形態では、角度θ１を３０度に設定している。
【００４１】
このように、操作画面３０や収納部２２、金銭取扱部５０等を所定の角度θ１で傾斜させた状態で上から順番に配置することにより、上から順番に配置された操作画面３０や収納部２２や金銭取扱部５０が、下方へ向かうにつれて前方へ突出するように配置された段差構成となるので、従来のＡＴＭに比べて全体の高さを低くすることができ、ＡＴＭ１の利用時における利用者の視点を低くすることができる。
【００４２】
特に、操作画面３０や収納部２２や金銭取扱部５０を所定の角度θ１の角度で傾斜した状態で配置することにより、ＡＴＭ１の中央付近が前方へ大きく張り出すので、この張り出し部分の下方に空間６０を設けることができる。そして、図４（ｂ）で示すように、この空間６０を車いす利用者がＡＴＭ１を利用する際の下肢収納空間としている。
【００４３】
従来、車いす利用者がＡＴＭ１を操作する場合には、図２２（ｃ）および図２１（ｄ）で示すように、横向きの状態で操作しなければならず、ＡＴＭ１が利用しにくいという課題があった。
【００４４】
これに対し、本願発明では、本体１０の前面下方に設けられた空間６０に下肢を収納することにより、パネル面２１に配置された操作画面３０や記録媒体読取部４０、テンキー４１、金銭取扱部５０等が車いす利用者に近づいた状態となるので、車いす利用者に対しても利用しやすいＡＴＭ１とすることができる。なお、この実施形態では、角度θ１が２５度≦θ１≦３５度の範囲で設定されるようになっている。
【００４５】
次に、図５および図６を参照して、本発明の第１の実施形態に係るＡＴＭの外観構成について説明する。図５は、ＡＴＭの外観構成を示す図であり、図５（ａ）が底面図、図５（ｂ）が平面図、図５（ｃ）が背面図、図５（ｄ）が正面図、図５（ｅ）が右側面図である。図６は、ＡＴＭの操作状態を示す図であり、図６（ａ）は立位利用者がＡＴＭの前面に立った状態を示す図、図６（ｂ）は立位利用者がＡＴＭの前面に立った状態を示す側面図である。
【００４６】
図５において、この実施形態に係るＡＴＭ１は、全体の高さＨ１が１２７０ｍｍ、幅Ｗが３１０ｍｍ、奥行Ｄが６５０ｍｍの外形寸法を備えている。なお、この実施形態に係るＡＴＭ１の外形寸法は、高さＨ１が１２００ｍｍ≦Ｈ１≦１３００ｍｍの範囲、幅Ｗが３００ｍｍ≦Ｗ≦３５０ｍｍの範囲、奥行Ｄが６００ｍｍ≦Ｄ≦７００ｍｍの範囲で形成されるようになっている。
【００４７】
この実施形態に係るＡＴＭ１は、操作画面３０と収納部２２と金銭取扱部５０が、ＡＴＭ１の設置面に対して所定の角度で傾けて配置されたフロントパネル２０のパネル面２１の前面上部に、上から順番に所定の角度で傾斜した状態で配置された構成としている。このような構成とすることにより、従来のＡＴＭに比べ、フロントパネル２０を傾け、各ユニットを棚状に配置したことで、ＡＴＭ１の全体の高さＨ１を低くすることができる。
【００４８】
また、この実施形態では、本体１０の前面下部に設けられた空間６０が、接地面からの高さがＨ２の大きさを有しており、車いす利用者がＡＴＭを操作する際に、下肢を収納するための十分な大きさとなっている。この実施形態では、Ｈ２を６８５ｍｍとしている。そして、この空間６０を設けることにより、ＡＴＭ１の下端部、即ち、接地部分の奥行Ｄ１を小さくすることができる。なお、この実施形態では、接地部分の奥行Ｄ１が６５０ｍｍ≦Ｄ≦７００ｍｍの範囲で形成されるようになっている。
【００４９】
このように、ＡＴＭ１の設置面に対してフロントパネル２０を傾けて配置することにより、ＡＴＭ１の全高Ｈ１を低くすることができ、また、ＡＴＭ１の全高Ｈ１が低くなることに伴い、ＡＴＭ１の視認性や操作性を良好にすることができる。さらに、図６で示すように、例えば、立位利用者がＡＴＭ１を操作する際に、操作画面３０を体で覆い隠すことができるので、周囲から操作画面３０が覗かれることや、ＡＴＭ１の設置場所の照明等が操作画面３０に写り込むことを軽減することができる。
【００５０】
次に、図７から図９を参照して、金銭取扱部の構成および紙幣の預入／受取について説明する。図７は、金銭取扱部の断面図であり、図７（ａ）はシャッターが閉じた状態の断面図、図７（ｂ）は上部シャッターが開いた状態の断面図、図７（ｃ）は下部シャッターが開いた状態の断面図である。図８は、金銭取扱部の動作状態を示す図であり、図８（ａ）〜図８（ｄ）が紙幣投入時の動作状態、図８（ｅ）〜図８（ｈ）が紙幣受取時の動作状態を示している。図９は、紙幣の取り出し方を示す図であり、図９（ａ）が従来のＡＴＭにおける紙幣の取り出し方を示す図、図９（ｂ）および図９（ｃ）が第１の実施形態に係るＡＴＭにおける紙幣の取り出し方を示す図である。
【００５１】
図７において、金銭取扱部５０は、内部に形成された金銭収納空間５５と、この金銭収納空間５５の出入口を開閉するシャッターと、金銭収納空間５５に配置されたトレー５６とを備えており、シャッター部は、第１シャッター部５１と第２シャッター部５２とから構成されている。
【００５２】
第１シャッター部５１は、金銭収納空間５５の出入口の上方に配置されており、この第１シャッター部５１を開閉することにより、図７（ｂ）で示すように、例えば、紙幣を預け入れる際に使用される紙幣投入口５７が露出したり、隠蔽されたりする。また、第２シャッター部５２は、金銭収納空間５５の出入口の下方に配置されており、この第２シャッター部５２を開閉することにより、図７（ｃ）で示すように、例えば、紙幣を受け取る（引き出す）際に使用される紙幣受取口５８が露出したり、隠蔽されたりする。このような構成とすることで、第１シャッター部５１および第２シャッター部５２の開閉状態により取引の種類が把握できることから、取引時における金銭取扱部５０の視認性を向上させることができる。
【００５３】
トレー５６は、金銭収納空間５５の内部で移動可能に設けられており、利用者が指定した取引操作に対応して紙幣の回収や排出を行うように、制御部２００や図示しない動作機構によりその動作が制御されている。このような構成とすることにより、紙幣をスムーズに取り扱うことができる。
【００５４】
次に、図８を参照して、紙幣の投入動作および受取動作について説明する。図８において、ＡＴＭ１の利用者が操作画面３０に表示された取引項目から、例えば、紙幣の預入動作に関する取引項目を選択する場合、タッチパネルを介して操作画面３０に表示された取引項目を示す操作ボタンを選択して操作すると、制御部２００は、利用者が操作画面３０に表示された案内に従って紙幣の預入動作がなされたことを確認すると共に、第１シャッター部５１を開くように制御する（図８（ａ）参照）。
【００５５】
第１シャッター部５１が開くことにより、紙幣投入口５７が露出するので、図８（ｂ）で示すように、ＡＴＭ１の利用者は、紙幣投入口５７から紙幣Ｍを投入する。投入された紙幣Ｍは、図８（ｃ）および図８（ｄ）で示すように、トレー５６を介して金銭収納空間５５に収納される。金銭収納空間５５に収納された紙幣Ｍは、図示しない搬送路を介して紙幣ユニット２２６に搬送される。そして、紙幣ユニット２２６に搬送された紙幣Ｍを、昇降機構を介して紙幣ユニット２２６へ収納することで、例えば、紙幣Ｍの預け入れや振込みなど、紙幣Ｍの投入操作に関する一連の動作が終了する。なお、この実施形態では、紙幣の搬送路および紙幣ユニット２２６の昇降機構は公知のものであるため、詳細な説明は省略する。
【００５６】
一方、ＡＴＭ１の利用者が操作画面３０に表示された取引項目から、例えば、紙幣の引出動作に関する取引項目を選択する場合、タッチパネルを介して操作画面３０に表示された取引項目を示す操作ボタンを選択して操作すると、制御部２００は、利用者が操作画面３０に表示された案内に従って紙幣の引出動作がなされたことを確認すると、紙幣ユニット２２６から紙幣を排出するように制御すると共に、第２シャッター部５２を開くように制御する（図８(ｅ)参照）。
【００５７】
第２シャッター部５２が開くことにより、紙幣受取口５８が露出すると共に、図８（ｆ）から図８（ｈ）で示すように、取引金額に対応する紙幣Ｍが昇降機構および搬送路を介して紙幣ユニット２２６からトレー５６に搬出され、搬出された紙幣Ｍを有するトレー５６が制御部２００や図示しない動作機構により、紙幣Ｍの一部が紙幣受取口５８から露出するようにその動作が制御される。そして、ＡＴＭ１の利用者が紙幣受取口５８に排出された紙幣Ｍを受け取ることで、紙幣Ｍの受取操作に関する一連の動作が終了する。
【００５８】
このように、この実施形態によれば、紙幣の投入や受取の際に、図９（ｂ）および図９（ｃ）で示すように、金銭取扱部５０に手を入れることなく紙幣の投入や受取を行うことができるので、図９（ａ）で示すような、金銭取扱部５０に手を入れて紙幣の投入や受取を行う従来のＡＴＭに比べて、紙幣の投入や受取を容易に行うことができると共に、紙幣の投入時あるいは受取時における紙幣の視認性を向上させることができる。
【００５９】
次に、図１０および図１１を参照して、第１の実施形態に係るＡＴＭの操作画面について説明する。図１０および図１１は、操作画面の表示状態を示す図である。先ず、図１０を参照して、テンキーによる入力操作を行う場合について説明する。
【００６０】
図１０において、センサ２２８が利用者がＡＴＭ１の正面に立ったことを検知すると、制御部２００は、操作画面３０に図１０（ａ）で示すようなメニュー画面７０を表示する。このメニュー画面７０には、ＡＴＭ１で利用できる複数の取引項目が表示されており、利用者が所望の取引項目を選択し、選択した取引項目をメニュー画面７０上でタッチすることにより取引項目が選択され、取引を行うようになっている。
【００６１】
この実施形態では、複数の取引項目の一例として、「引き出し」、「預け入れ」、「振り込み」、「残高照会」、「他の取引」の５つの取引項目が、メニュー画面７０上に操作ボタン７１〜７５で表示されている。そして、各操作ボタン７１〜７５は、タッチパネルを介してメニュー画面７０上で操作できるようになっている。また、操作ボタン７１は、複数の操作ボタンを備えている。この実施形態では、任意の金額で取引を行うために操作する任意金額取引ボタン７１ａと、定額の取引を行うために操作する定額取引ボタン７１ｂ〜７１ｄとで構成されている。なお、この実施形態では、取引の一例として、任意金額取引ボタン７１ａを選択して操作した場合について説明する。
【００６２】
メニュー画面７０に表示された任意金額取引ボタン７１ａが操作されると、制御部２００は、操作画面３０の表示内容を切り替え、図１０（ｂ）で示すような、利用者に対してカードを挿入するように案内する第１案内画面８０を表示する。この第１案内画面８０は、利用者に対して操作内容を文字で表示する文字表示エリア８１と、利用者に対して操作内容を画像で表示する複数の画像表示エリア８２が表示されている。この実施形態では、複数の画像表示エリア８２を、第１画像表示エリア８２ａと第２画像表示エリア８２ｂと第３画像表示エリア８３ｃとで構成している。
【００６３】
また、第１案内画面８０は、最上部に取引項目表示エリア８３を備えており、この取引項目表示エリア８３には、現在取引が行われている取引項目が表示されるようになっている。さらに、取引項目表示エリア８３には取消ボタン８４が設けられており、この取消ボタン８４が操作されると、制御部２００はメニュー画面７０へ戻るように制御する。
【００６４】
図１０（ｂ）に戻り、操作画面３０に第１案内画面８０が表示されると、制御部２００は、文字表示エリア８１に文字を表示して、利用者に対してカードを挿入するように文字で案内するとともに、第１画像表示エリア８２ａを拡大表示し、利用者に対してカードを挿入するように画像で案内するように制御している。利用者は文字表示エリア８１および第１画像表示エリア８２ａの案内に従って、第１収納部２４に配置された凹部に沿ってカードを挿入する。
【００６５】
カードが挿入されると、制御部２００は、図１０（ｃ）で示すように、文字表示エリア８１の表示内容を切り替え、利用者に対して暗証番号を入力するように文字で案内するとともに、第２画像表示エリア８２ｂを拡大表示し、利用者に対して暗証番号を入力するように画像で案内するように制御している。利用者は文字表示エリア８１および第２画像表示エリア８２ｂの案内に従って、第２収納部２６に配置されたテンキー４１により、暗証番号の入力を行う。
暗証番号の入力が終了すると、制御部２００は、図１０（ｄ）で示すように、第２画像表示エリア８２ｂおよび文字表示エリア８１に操作内容を表示する。そして、表示された案内に従って、利用者は第２収納部２６に配置されたテンキー４１により、取引金額の入力を行う。
【００６６】
取引金額の入力が終了すると、制御部２００は、取引金額に対応した紙幣を紙幣ユニット２２６から金銭取扱部５０へ排出するように制御する。そして、紙幣の排出が終了すると、制御部２００は、図１０（ｅ）で示すように、文字表示エリア８１の表示内容を切り替え、利用者に対してカードを受け取るように文字で案内すると共に、第１画像表示エリア８２ａを拡大表示し、利用者に対してカードを受け取るように画像で案内するように制御している。
【００６７】
利用者が案内に従ってカードを受け取とると、制御部２００は、図１０（ｆ）で示すように、文字表示エリア８１の表示内容を切り替え、利用者に対して紙幣を受け取るように文字で案内するとともに、第３画像表示エリア８２ｃを拡大表示し、利用者に対して紙幣を受け取るように画像で案内するように制御している。そして、利用者が紙幣を受け取ると、制御部２００は、操作画面３０の表示を図１０（ａ）で示すメニュー画面７０に切り替え、一連の操作が終了する。
【００６８】
この実施形態では、操作画面３０に複数の画像表示エリア８２を設けたことに特徴がある。具体的には、図１０で示すように、複数の画像表示エリア８２を、第１収納部２４に関する操作案内画像を表示する第１画像表示エリア８２ａと、第２収納部２６に関する操作案内画像を表示する第２画像表示エリア８２ｂと、金銭取扱部５０に関する操作案内画像を表示する第３画像表示エリア８２ｃとで構成し、この３つの画像表示エリアを上から第１画像表示エリア８２ａ、第２画像表示エリア８２ｂ、第３画像表示エリア８２ｃの順番で配置した構成としている。
【００６９】
このような構成とすることにより、各画像表示エリアが、フロントパネル２０に配置された第１収納部２４と第２収納部２６と金銭取扱部５０の配置場所に対応して表示されるので、ＡＴＭ１の操作前から３段階の手続きがあることがわかり、かつ操作時においても手続きの進捗状況がわかりやすいので、ＡＴＭの視認性や操作性を良好にすることができる。
【００７０】
図１０においては、磁気カードとテンキー入力による取引を例に説明したが、この実施形態では、非接触型記録媒体、例えば、非接触式カードや携帯電話機による取引や、操作表示部の表示されたテンキーの操作による取引も行うことができるようになっている。この点について、図１１を参照して説明する。
【００７１】
図１１において、操作画面３０に表示されたメニュー画面７０から、例えば、任意金額取引ボタン７１ａが操作されると、制御部２００は、図１１（ｂ）で示すように、操作画面３０に第１案内画面８０を表示する。この第１案内画面８０では、文字表示エリア８１に文字を表示して利用者に対して非接触式カードあるいは携帯電話機をかざすように案内するとともに、第１画像表示エリア８２ａを拡大表示し、利用者に対して非接触式のカードあるいは携帯電話機をかざすように画像で案内するようになっている。
【００７２】
第１案内画面８０に表示された案内に従い、利用者が記録媒体読取部４０に非接触式のカードあるいは携帯電話機をかざすと、制御部２００は、図１１（ｃ）で示すように、文字表示エリア８１の表示内容を切り替え、利用者に対して暗証番号を入力するように文字で案内するとともに、拡大表示された第２画像表示エリア８２ｂに暗証番号を入力するためのテンキー４１ａを表示し、利用者に対して暗証番号を入力するように画像で案内するように制御している。
【００７３】
第１案内画面８０に表示された案内に従い、利用者がテンキー４１ａを操作して暗証番号を入力すると、制御部２００は、図１１（ｄ）で示すように、文字表示エリア８１の表示内容を切り替え、利用者に対して取引金額を入力するように文字で案内するとともに、拡大表示された第２画像表示エリア８２ｂに取引金額を入力するためのテンキー４１ｂを表示し、利用者に対して取引金額を入力するように画像で案内するように制御している。
【００７４】
第１案内画面８０に表示された案内に従い、利用者がテンキー４１ｂを操作して取引金額を入力すると、制御部２００は、入力された取引金額に対応する紙幣を紙幣ユニット２２６から金銭取扱部５０へ排出するように制御する。そして、紙幣ユニット２２６から紙幣の排出が終了すると、制御部２００は、図１１（ｅ）で示すように、文字表示エリア８１の表示内容を切り替え、利用者に対して非接触式のカードあるいは携帯電話機を受け取るように文字で案内するとともに、拡大表示された第１画像表示エリア８２ａに案内画像を表示し、利用者に対して非接触式のカードあるいは携帯電話機を受け取るように画像で案内するように制御している。
【００７５】
第１案内画面８０に表示された案内に従い、利用者が非接触式カードあるいは携帯電話機を受け取ると、制御部２００は、図１１（ｆ）で示すように、文字表示エリア８１の表示内容を切り替え、利用者に対して紙幣を受け取るように文字で案内するとともに、拡大表示された第３画像表示エリア８２ｃに案内画像を表示し、利用者に対して紙幣を受け取るように画像で案内するように制御している。また、案内表示と同時に、第２シャッター部５２が開き、紙幣を積んだトレー５６が制御部２００や図示しない動作機構とによって、第２シャッター部５２の動作に連動して動作制御され、紙幣受取口５８に紙幣の一部を排出する。そして、利用者が紙幣を受け取ると、制御部２００は、操作画面３０の表示を図１１（ａ）で示すメニュー画面７０に切り替え、一連の操作が終了する。
【００７６】
この実施形態は、図１０で示す実施形態と同様、操作画面３０に複数の画像表示エリア８２を、３つの画像表示エリア８２ａ〜８２ｃとで構成している。特に、この実施形態では、第２画像表示エリア８２ｂに暗証番号や取引金額を入力するためのテンキーが表示されるようになっている。
【００７７】
このような構成とすることによっても、図１０で示す実施形態と同様、ＡＴＭ１の操作時における視認性や操作性を良好にすることができる。
【００７８】
（第２の実施形態）
図１２から図１９を参照して、本発明の第２の実施形態に係るＡＴＭを具体的に説明する。なお、この実施の形態では、前記第１の実施形態と同一ないし同様なものは同一符号を持って示し、重複した説明を省略する。
【００７９】
先ず、図１２および図１３を参照して、本発明の第２の実施形態に係るＡＴＭの概略構造を説明する。図１２は、本発明の第２の実施形態に係るＡＴＭの外観構造を示す図であり、図１２（ａ）は斜視図、図１２（ｂ）は部分拡大図である。図１３は、本発明の第２の実施形態に係るＡＴＭの部分概略構成を示す図であり、図１３（ａ）は従来のＡＴＭの部分概略構成図、図１３（ｂ）は第２の実施形態に係るＡＴＭの部分概略構成図である。
【００８０】
図１２において、符号１００で総括的に示すＡＴＭは、内部に各種の取引処理を行う取引処理ユニットを有する本体１１０と、この本体１１０の前面に配置されたフロントパネル１２０と、このフロントパネル１２０に設けられた突出部１２１とを備え、この突出部１２１に配置された操作画面３０と記録媒体読取部４０と通帳取扱部１２６と金銭取扱口１５０と、本体１１０の下部に形成された空間６０とを含んで構成される。
【００８１】
本体１１０は、その前面上部が垂直方向（高さ方向）に対して傾斜した外観構造を備えるとともに、この傾斜した部分に形成された図示しない開口部を備えており、この開口部から操作表示部の前面（操作画面３０）と、本体１１０の内部に収納された各種の取引処理を行う複数の取引処理ユニットの前面、例えば、図示しない記録媒体読取ユニットの前面に配置された記録媒体読取部４０や、図示しない通帳取扱ユニットの前面に配置された通帳取扱部１２６や、図示しない金銭取扱ユニットの前面に配置された金銭取扱部１５０等が露出するように、操作表示部や記録媒体読取ユニット、通帳取扱ユニット、金銭取扱ユニット等の各種取引処理ユニットが本体１１０の内部で縦置きに配置されている。そして、操作画面３０や各種取引処理ユニットの前面が露出した開口部を、突出部１２１が形成されたフロントパネル１２０で覆うことにより、操作画面３０や各種取引処理ユニットの前面、例えば、記録媒体読取部４０や通帳取扱部１２６、金銭取扱部１５０等がフロントパネル１２０（突出部１２１）に配置されるようになっている。
【００８２】
フロントパネル１２０は、本体１１０の前面上部を構成するパネル部１２２と、このパネル部１２２の下端から前方に突出するテーブル部１２３とを備えるとともに、このパネル部１２２とテーブル部１２３とで支えられるように突出部１２１が設けられている。
【００８３】
突出部１２１は、その正面に形成された収納部１２４と、図示しない３つの開口部とを備えている。この３つの開口部は、収納部１２４を挟むように形成されており、収納部１２４の上方に形成された第１開口部には操作画面３０が配置され、収納部１２４の下方に形成された第２開口部および第３開口部には金銭取扱部１５０が配置されるようになっている。
【００８４】
収納部１２４には棚部１２５が設けられており、この棚部１２５に記録媒体読取部４０や通帳取扱部１２６、機能拡張用の外部機器等が配置されるようになっている。この実施形態では、棚部１２５の中央にテンキー４１を配置し、このテンキー４１の左側に形成された凹部に通帳取扱部１２６、テンキー４１の右側に形成された凹部に記録媒体読取部４０が横一列配置された構成としている。なお、この実施形態では、棚部１２５にテンキー４１を配置しているが、その他の外部機器、例えば、生体認証装置を配置するようにしても良い。
【００８５】
金銭取扱口１５０は、紙幣を取り扱う紙幣取扱部１５１と、硬貨を取り扱う硬貨取扱部１５２とから構成され、紙幣取扱部１５１および硬貨取扱部１５２には、それぞれ上下に２分割されたシャッター１５３、１５４が設けられている。
【００８６】
この実施形態に係るＡＴＭ１００の大きな特徴は、第１の実施形態と同様、操作画面３０と収納部１２４と金銭取扱部１５０が、本体１１０の正面で上から順に、段差構成をなすように配置された点にある。具体的には、図１２で示すように、操作画面３０と収納部１２４と金銭取扱部１５０とが、ＡＴＭ１００の設置面に対して所定の角度で傾斜して設けられたフロントパネル１２０に形成された突出部１２１から露出するように配置されている。そして、操作画面３０の下方に配置された収納部１２４が操作画面３０よりも張り出した状態となるように構成され、また収納部１２４の下方に配置された金銭取扱部１５０が収納部１２４よりも張り出した状態となるように構成される。
【００８７】
このような構成とすることにより、第１の実施形態と同様、取引項目の選択から取引終了までの一連の動作、即ち、ＡＴＭ１００の操作手順に合わせて操作画面３０と収納部１２４と金銭取扱部１５０とを、本体１１０の前面上部に上から順番に配置した段差構成としているので、ＡＴＭ１００の操作手順を視覚的にわかりやすくすることができる。しかも、下方に配置されるものが、上方に配置されたものよりも張り出して配置される段差構成としているので、ＡＴＭ１００の操作性を向上させることができる。
【００８８】
また、この実施形態に係るＡＴＭ１の他の大きな特徴は、記録媒体読取部４０や通帳取扱部１２６、テンキー４１や生体認証装置等の外部機器を配置するための収納部１２４を設けた点にある。
【００８９】
この収納部１２４を、例えば、従来の金融機関向けＡＴＭ９００に採用した場合、図１３（ａ）で示すように、収納部１２４の収納口（手前側）１２４ａの大きさｈ１と収納部１２４の後方（奥行側）１２４ｂの大きさｗ１が等しい形状となっている。
【００９０】
このようなＡＴＭにより、例えば、記録媒体読取部４０に非接触カードや携帯電話機等の非接触型記録媒体４６をセットして取引を行う場合、第１の実施形態と同様、非接触型記録媒体４６に記録された情報を読み取るための非接触カードリーダ２７を設ける必要があり、結果として、ＡＴＭの全高が高くなる。
【００９１】
また、収納部１２４に非接触式記録媒体４６をセットする際、収納部１２４の収納口１２４ａが垂直に形成されていることから、利用者から見ると収納口１２４ａの開口面積が狭くなっているように見える。このため、非接触式記録媒体４６を第１収納部２４にセットしにくく、その視認性も低下してしまう。また、収納部１２４に配置されたテンキー４１の操作性や通帳取扱部１２６の視認性も低下することとなる。
【００９２】
一方、収納部１２４の収納口１２４ａを大きく傾けると、収納口１２４ａの傾きに伴って棚部１２５も傾くことになる。このため、記録媒体読取部４０にセットされる非接触型記録媒体４６が、傾いた状態でセットされることになり、その保持性が低下することになる。
【００９３】
また、収納部１２４の収納口１２４ａを傾けることにより、第１の実施形態と同様、収納部１２４の後方１２４ｂが本体１１０の内部の下方へ張り出すことになり、結果として、ＡＴＭ全体の高さが高くなってしまう。
【００９４】
これに対し、本発明は、図１３（ｂ）で示すように、収納部１２４の収納口１２４ａ（の大きさｈ２を、収納部１２４の後方１２４ｂの大きさｗ１よりも大きく構成し、かつ収納部１２４の収納口１２４ａが操作画面３０よりも前方に突出した構成としている。また、本発明は、収納部１２４の収納口１２４ａを突出部１２１の前面に対して平行となるように傾斜して配置された構成としている。
【００９５】
このような構成とすることにより、収納部１２４の収納口１２４ａを広くすることができるので、ＡＴＭ全体の高さを高くすることなく、収納部１２４にセットされる記録媒体の着脱のしやすさを良好にすることができる。また、このような構成とすることにより、棚部１２５の水平状態が保てるので、記録媒体読取部４０にセットされた記録媒体の保持性を良好にすることができる。
【００９６】
次に、図１４を参照して、本発明の第２の実施形態に係るＡＴＭの装置構成を説明する。図１４は第１の実施形態に係るＡＴＭの装置構成を示すブロック図である。
【００９７】
図１４において、第２の実施形態に係るＡＴＭ１００の装置構成および取引操作は、基本的に第１の実施形態と同様であり、第１の実施形態との違いは、明細印字ユニット２１０に代えて、通帳明細印字ユニット２４０を設けた点にある。この通帳明細印字ユニット２４０は、利用明細書の印刷および通帳記入を行うものであり、取引の際に利用者が通帳を挿入した場合には、取引内容を通帳に記入し、通帳が挿入されなかった場合には、利用明細書を印刷するようになっている。
【００９８】
次に、図１５を参照して、本発明の第２の実施形態に係るＡＴＭの操作性について説明する。図１５は、ＡＴＭの操作状態を示す図であり、図１５（ａ）が立位利用者による操作状態を示す図、図１５（ｂ）が車いす利用者による操作状態を示す図である。
【００９９】
図１５において、この実施形態に係るＡＴＭ１００は、本体１１０の前面にフロントパネル１２０が所定の角度θ２の角度で傾斜した状態で配置されている。また、操作画面３０と収納部１２４と金銭取扱部１５０が、上から順番に、本体１１０の垂直方向（高さ方向）に対して角度θ２の角度で傾斜した状態、即ち、フロントパネル１２０に配置された突出部１２１に対して平行となるように配置されている。この実施形態では、角度θ２を４０度に設定している。
【０１００】
このように、操作画面３０や収納部１２４、金銭取扱部１５０等を所定の角度θ２で傾斜させた状態で配置することにより、上から順番に配置された操作画面３０や収納部１２４や金銭取扱部１５０が、下方へ向かうにつれて前方へ突出するように配置された段差構成となるので、従来のＡＴＭに比べて全体の高さを低くすることができ、ＡＴＭ１００の利用時における利用者の視点を低くすることができる。
【０１０１】
特に、操作画面３０や収納部１２４や金銭取扱部１５０を角度θ２の角度で傾斜した状態で配置することにより、ＡＴＭ１００の中央付近が前方へ大きく張り出すので、この張り出し部分の下方に空間６０を設けることができる。そして、図１５（ｂ）で示すように、この空間６０を車いす利用者がＡＴＭ１を利用する際の下肢収納空間とすることができる。
【０１０２】
この空間６０に下肢を収納することにより、突出部１２１に配置された操作画面３０や収納部１２４、金銭取扱部１５０が車いす利用者に近づいた状態となるので、車いす利用者に対しても利用しやすいＡＴＭ１００とすることができる。なお、この実施形態では、角度θ２が３５度≦θ２≦４５度の範囲で設定されるようになっている。
【０１０３】
次に、図１６を参照して、本発明の第２の実施形態に係るＡＴＭの外観構成について説明する。図１６は、ＡＴＭの外観構成を示す図であり、図１６（ａ）が底面図、図１６（ｂ）が平面図、図１６（ｃ）が背面図、図１６（ｄ）が正面図、図１６（ｅ）が右側面図である。
【０１０４】
図１６において、この実施形態に係るＡＴＭ１００は、全体の高さＨ６が１２１５ｍｍ、幅Ｗ６が５７５ｍｍ、奥行Ｄ６が６８５ｍｍの外形寸法を備えている。なお、この実施形態に係るＡＴＭ１００の外形寸法は、高さＨ６が１２００ｍｍ≦Ｈ６≦１３００ｍｍの範囲、幅Ｗ６が５５０ｍｍ≦Ｗ６≦６５０ｍｍの範囲、奥行Ｄ６が６５０ｍｍ≦Ｄ６≦７５０ｍｍの範囲で形成されるようになっている。
【０１０５】
この実施形態に係るＡＴＭ１００は、操作画面３０と収納部１２４と金銭取扱部５０が、ＡＴＭ１の設置面に対して所定の角度で傾けて配置されたフロントパネル２０の突出部１２１に、上から順番に所定の角度で傾斜した状態で配置された構成としている。このような構成とすることにより、従来のＡＴＭと比べ、フロントパネル１２０を傾けた分だけＡＴＭ１００の全体の高さＨ６を低くすることができる。
【０１０６】
また、この実施形態では、本体１１０の前面下部に設けられた空間６０が、接地面からの高さがＨ７の大きさを有しており、車いす利用者がＡＴＭ１００を操作する際に、下肢を収納するための十分な大きさとなっている。この実施形態では、空間６０の高さＨ７を６８０ｍｍとしている。そして、この空間６０を設けることにより、ＡＴＭ１００の下端部、即ち、接地部分の奥行Ｄ１を小さくすることができる。なお、この実施形態では、接地部分の奥行Ｄ１が６５０ｍｍ≦Ｄ≦７００ｍｍの範囲で形成されるようになっている。
【０１０７】
このように、この実施形態では、ＡＴＭ１００の設置面に対してフロントパネル１２０を所定の角度で傾けて配置することにより、ＡＴＭ１００の全高Ｈ６を低くすることができ、また、ＡＴＭ１００の全高Ｈ６が低くなることに伴い、ＡＴＭ１００の視認性や操作性を良好にすることができる。
【０１０８】
さらに、第１の実施形態と同様、例えば、立位利用者がＡＴＭ１００を操作する際に、操作画面３０を体で覆い隠すことができるので、周囲から操作画面３０が覗かれることや、照明等の写り込みを軽減でき、また、例えば、車いす利用者がＡＴＭ１００を操作する際に、空間６０が下肢を収納するのに十分な大きさを有しているので、操作画面３０や収納部１２４、金銭取扱部１５０に近づくことができるので、視認性や操作性を良好にすることができる。
【０１０９】
次に、図１２を基に図１７を参照して、金銭取扱部の構成および紙幣の預入／受取について説明する。図１７は、紙幣の取り出し方を示す図であり、図１７（ａ）が従来のＡＴＭにおける紙幣の取り出し方を示す図、図１７（ｂ）および図１７（ｃ）が第２の実施形態に係るＡＴＭにおける紙幣の取り出し方を示す図である。
【０１１０】
図１２において、紙幣取扱部１５１は、内部に形成された紙幣収納空間と、この紙幣収納空間の出入口を開閉するシャッター１５３と、紙幣収納空間に配置された第１トレーとを備えている。また、硬貨取扱部１５２は、内部に形成された硬貨収納空間と、この硬貨収納空間の出入口を開閉するシャッター１５４と、硬貨収納空間に配置された第２トレーとを備えている。シャッター１５３は、第１シャッター部５１と第２シャッター部５２とで構成され、シャッター１５４は、第３シャッター部と第４シャッター部とで構成されている。なお、第１シャッター部５１と第２シャッター部５２の構成およびその動作、第１トレーと第２トレーの構成およびその動作、紙幣の投入動作および受取動作については、前記第１の実施形態と同様であるため、詳細な説明は省略する。また、第３シャッター部と第４シャッター部の構成およびその動作、硬貨の投入動作および受取動作についても、紙幣の投入動作および受取動作と同様であるため、説明を省略する。
【０１１１】
このような構成とすることにより、図１７（ｂ）で示すように、利用者の手前側で傾斜して配置された紙幣取扱部１５１および硬貨取扱部１５２から、紙幣および硬貨がそれぞれ排出されるので、図１７（ａ）で示すような、紙幣取扱部１５１および硬貨取扱部１５２の内部に手を入れて紙幣や硬貨を取り出す従来のＡＴＭに比べ、紙幣や硬貨の視認性や取り出しやすさを向上させることができる。特に、図１７（ｃ）で示すように、車いす利用者にとっては、紙幣取扱部１５１および硬貨取扱部１５２が近くなるので、従来のＡＴＭと比べて紙幣や硬貨の視認性や取り出しやすさを格段に向上させることができる。
【０１１２】
次に、図１８および図１９を参照して、第２の実施形態に係るＡＴＭの操作画面について説明する。図１８および図１９は、操作画面の表示状態を示す図である。先ず、図１８を参照して、テンキーによる入力操作を行う場合について説明する。
【０１１３】
図１８において、センサ２２８が利用者がＡＴＭ１００の正面に立ったことを検知すると、制御部２００は、操作画面３０に図１８（ａ）で示すようなメニュー画面７００を表示する。このメニュー画面７００は、表示領域が上下に分けられており、上方の表示領域は、キャンペーン等の情報を表示する第１操作表示画面７０１であり、下方の表示領域は、取引項目や操作案内等が表示される第２操作表示画面７０２である。なお、第１操作表示画面７０１に表示される情報は、所定のタイミングで切り替わるようになっており、この実施形態では、所定時間の経過後に情報が切り替わるようになっている。
【０１１４】
図１８（ａ）に戻り、第２操作表示画面７０２には、ＡＴＭ１００で利用できる複数の取引項目が表示されており、利用者が所望の取引項目を選択し、選択した取引項目を第２操作表示画面７０２上でタッチすることにより取引項目が選択され、取引を行うようになっている。
【０１１５】
この実施形態では、第１の実記形態と同様、タッチパネルを介して操作可能な５つの操作ボタン７１〜７５が第２操作表示画面７０２上に表示されている。また、操作ボタン７１も第１の実記形態と同様、４つの操作ボタン７１ａ〜７１ｄとで構成されている。なお、この実施形態では、取引の一例として、任意金額取引ボタン７１ａを選択して操作した場合について説明する。
【０１１６】
第２操作表示画面７０２に表示された操作ボタン７１が操作されると、制御部２００は、第２操作表示画面７０２の表示内容を切り替え、図１８（ｂ）で示すような、利用者に対してカードを挿入するように案内する第１案内画面８００を表示する。この第１案内画面８００は、利用者に対して操作内容を文字で表示する文字表示エリア８１と、利用者に対して操作内容を画像で表示する複数の画像表示エリア８２が表示されている。この実施形態では、複数の画像表示エリア８２を、第１画像表示エリア８２ａと第２画像表示エリア８２ｂと第３画像表示エリア８２ｃと第４画像表示エリア８２ｄと第５画像表示エリア８２ｅとで構成している。
【０１１７】
図１８（ｂ）に戻り、第２操作表示画面７０２に第１案内画面８００が表示されると、制御部２００は、文字表示エリア８１に文字を表示して利用者に対してカードを挿入するように案内するとともに、第１画像表示エリア８２ａを拡大表示し、利用者に対してカードを挿入するように画像で案内するように制御している。そして、文字表示エリア８１および第１画像表示エリア８２ａの案内に従って、利用者が収納部１２４に配置された記録媒体読取部４０にカードを挿入すると、制御部２００は、図１８（ｃ）で示すように、文字表示エリア８１の表示内容を切り替え、利用者に対して暗証番号を入力するように文字で案内するとともに、第２画像表示エリア８２ｂを拡大表示し、利用者に対して暗証番号を入力するように画像で案内するように制御している。利用者は文字表示エリア８１および第２画像表示エリア８２ｂの案内に従って、収納部１２４に配置されたテンキー４１により、暗証番号の入力を行う。
【０１１８】
暗証番号の入力が終了すると、制御部２００は、図１８（ｄ）で示すように、文字表示エリア８１の表示内容を切り替え、利用者に対して取引金額を入力するように文字で案内する。そして、表示された案内に従って、利用者は収納部１２４に配置されたテンキー４１により、取引金額の入力を行う。
【０１１９】
取引金額の入力が終了すると、制御部２００は、取引金額に対応した紙幣を紙幣ユニット２２６から紙幣取扱部１５１に排出するように制御する。そして、紙幣の排出が終了すると、制御部２００は、図１８（ｅ）で示すように、文字表示エリア８１の表示内容を切り替え、利用者に対してカードを受け取るように文字で案内するとともに、第１画像表示エリア８２ａが拡大表示し、利用者に対してカードを受け取るように画像で案内するように制御している。
【０１２０】
利用者が案内に従ってカードを受け取ると、制御部２００は、図１８（ｆ）で示すように、文字表示エリア８１の表示内容を切り替え、利用者に対して紙幣を受け取るように第３画像表示エリア８２ｃが拡大表示し、利用者に対して紙幣を受け取るように文字で案内するとともに、第３画像表示エリア８２ｃが拡大表示し、利用者に対して紙幣を受け取るように画像で案内するように制御している。そして、利用者が紙幣を受け取ると、制御部２００は、第２操作表示画面７０２の表示を図１８（ａ）で示すメニュー画面７００に切り替え、一連の取引操作が終了する。
【０１２１】
上記実施形態では、磁気カードとテンキー入力による紙幣の引き出し操作について説明したが、この実施形態に係るＡＴＭ１００は、通帳を利用したり、硬貨を取り扱うことができるようになっている。例えば、通帳を利用する場合には、第２操作表示画面７０２に表示された操作ボタン７１ａを操作した後に、文字表示エリア８１および第４画像表示エリア８２ｄを介して、利用者に対して通帳取扱部１２６に通帳をセットするように案内してもよい。また、硬貨を取り扱う場合には、図１８（ａ）から図１８（ｅ）の操作後に第５画像表示エリア８２ｅを拡大表示し、利用者に対して硬貨を受け取るように案内してもよい。
【０１２２】
この第２の実施形態においては、第１の実施形態と同様、操作画面３０に複数の画像表示エリア８２を設けたことに特徴がある。具体的には、図１６で示すように、複数の画像表示エリア８２を、記録媒体読取部４０に関する操作案内を表示する第１画像表示エリア８２ａと、テンキーに関する操作案内を表示する第２画像表示エリア８２ｂと、紙幣取扱部１５２に関する操作案内を表示する第３画像表示エリア８２ｃと、通帳に関する操作案内を表示する第４画像表示エリア８２ｄと、硬貨取扱部１５２に関する操作案内を表示する第５画像表示エリア８２ｅとで構成している。そして、この５つの画像表示エリアを上下２段に配置し、上方右側から順番に第１画像表示エリア８２ａ、第２画像表示エリア８２ｂ、第４画像表示エリア８２ｄ、下方右側から順番に第３画像表示エリア８２ｃ、第５画像表示エリア８２ｅが配置された構成としている。
【０１２３】
このような構成とすることにより、各画像表示エリアが、フロントパネル１２０に配置された突出部１２１に配置された操作画面３０と記録媒体読取部４０とテンキー４１と通帳取扱部１２６と紙幣取扱部１５３と硬貨取扱部１５４の配置に対応して第２操作表示画面７０２上に表示されるので、ＡＴＭ１００の操作性を良好にすることができる。
【０１２４】
次に、図１９を参照して、操作表示部の他の実施形態について説明する。図１９において、センサ２２８利用者がＡＴＭ１００の正面に立ったことを検知すると、制御部２００は、第１操作表示画面７０１と第２操作表示画面７０２とを備えたメニュー画面７００を、操作画面３０上に表示するように制御する。
【０１２５】
ＡＴＭ１００の利用者が、メニュー画面７００の上方に表示された第１操作表示画面７０１にタッチすると、制御部２００は、第１操作表示画面７０１に図１９（ｂ）で示すような第１取引画面７５０が表示するように制御する。この取引画面７５０には、その上方に設けられた情報表示部７５１と、取引項目を示す複数の操作ボタン７５２が表示されている。この実施形態では、複数の操作ボタン７５２を、４つの操作ボタン７５２ａ〜７５２ｄで構成している。
【０１２６】
利用者が４つの操作ボタン７５２ａ〜７５２ｄに表示された取引項目から所望の取引項目を選択し、選択した取引項目に関する操作ボタンを操作すると、制御部２００は、図１９（ｃ）で示すような第２取引画面７６１を第１操作表示画面７０１上に表示する。この実施形態では、３つの操作ボタン７６１ａ〜７６１ｃが第２取引画面７６１に表示されるようになっている。
【０１２７】
図１９（ｃ）において、利用者が操作ボタン７６１ａを操作すると、制御部２００は、例えば、図１９（ｄ）で示すように、金融商品を購入するための手続きを行う取引画面を第２操作表示画面７０２に表示する。そして、利用者は第２操作表示画面７０２に表示された案内に従って所定の操作を行うことで、金融商品を購入することができ、図１９（ｅ）で示すように、購入した金融商品の内容を画面上で確認することができる。
【０１２８】
このような構成とすることにより、１つの操作画面上で複数の取引を行うことができるので、ＡＴＭ１００の使い勝手を良好にすることができる。
【０１２９】
（第３の実施形態）
図２０を参照して、本発明の第３の実施形態に係るＡＴＭを具体的に説明する。なお、この実施の形態では、前記した各実施形態と同一ないし同様なものは同一符号を持って示し、重複した説明を省略する。
【０１３０】
図２０は、第３の実施形態に係るＡＴＭの外観構造を示す図である。図２０において、
符号１ａで総括的に示すＡＴＭは、内部に操作表示部や各種の取引処理を行う複数の取引処理ユニットを有する本体１０と、この本体１０の前面に配置されたフロントパネル２０とを備え、このフロントパネル２０に配置された操作画面３０と記録媒体読取部４０と金銭取扱部５０とを含んで構成される。
【０１３１】
この実施形態に係るＡＴＭ１ａは、基本的に前記第１の実施形態と同様な構成を備えており、第１の実施形態との相違点は、本体１０の前面下部に形成された空間６０の有無となっている。
【０１３２】
このような構成とすることによっても、第１の実施形態と同様な作用効果がある。なお、ＡＴＭ１ａの各部分の構成および取引操作については、前記第１の実施形態と同様であるため、詳細な説明は省略する。
【０１３３】
（第４の実施形態）
図２１を参照して、本発明の第４の実施形態に係るＡＴＭを具体的に説明する。なお、この実施の形態では、前記した各実施形態と同一ないし同様なものは同一符号を持って示し、重複した説明を省略する。
【０１３４】
図２０は、第４の実施形態に係るＡＴＭの外観構造を示す図である。図２１において、符号１００ａで総括的に示すＡＴＭは、内部に各種の取引処理を行う取引処理ユニットを有する本体１１０と、この本体１１０の前面に配置されたフロントパネル１２０と、このフロントパネル１２０に設けられた突出部１２１とを備え、この突出部１２１に配置された操作画面３０と記録媒体読取部４０と通帳取扱部１２６と金銭取扱口１５０とを含んで構成される。
【０１３５】
この実施形態に係るＡＴＭ１ａは、基本的に前記第２の実施形態と同様な構成を備えており、第２の実施形態との相違点は、本体１１０の前面下部に形成された空間６０の有無となっている。
【０１３６】
このような構成とすることによっても、第２の実施形態と同様な作用効果がある。なお、ＡＴＭ１ａの各部分の構成および取引操作については、前記第２の実施形態と同様であるため、詳細な説明は省略する。
【図面の簡単な説明】
【０１３７】
【図１】第１の実施形態に係るＡＴＭの外観構造を示す図である。
【図２】第１の実施形態に係るＡＴＭの部分概略構成を示す図である。
【図３】第１の実施形態に係るＡＴＭの装置構成を示すブロック図である。
【図４】第１の実施形態に係るＡＴＭの操作状態を示す図である。
【図５】第１の実施形態に係るＡＴＭの外観構成を示す図である。
【図６】第１の実施形態に係るＡＴＭの操作状態を示す図である。
【図７】第１の実施形態に係るＡＴＭの金銭取扱部の断面図である。
【図８】第１の実施形態に係るＡＴＭの金銭取扱部の動作状態を示す図である。
【図９】第１の実施形態に係るＡＴＭの紙幣の取り出し方を示す図である。
【図１０】第１の実施形態に係るＡＴＭの操作画面の表示状態を示す図である。
【図１１】第１の実施形態に係るＡＴＭの操作画面の表示状態を示す図である。
【図１２】第２の実施形態に係るＡＴＭの外観構造を示す図である。
【図１３】第２の実施形態に係るＡＴＭの部分概略構成を示す図である。
【図１４】第２の実施形態に係るＡＴＭの装置構成を示すブロック図である。
【図１５】第２の実施形態に係るＡＴＭの操作状態を示す図である。
【図１６】第２の実施形態に係るＡＴＭの外観構成を示す図である。
【図１７】第２の実施形態に係るＡＴＭの紙幣の取り出し方を示す図である。
【図１８】第２の実施形態に係るＡＴＭの操作画面の表示状態を示す図である。
【図１９】第２の実施形態に係るＡＴＭの操作画面の表示状態を示す図である。
【図２０】第３の実施形態に係るＡＴＭの外観構造を示す図である。
【図２１】第４の実施形態に係るＡＴＭの外観構造を示す図である。
【図２２】従来のＡＴＭを示す図である。
【符号の説明】
【０１３８】
１…ＡＴＭ、１ａ…ＡＴＭ、１０…本体、２０…フロントパネル、２１…パネル面、２２…収納部、２３…第１棚部、２４…第１収納部、２４ａ…収納口、２５…第２棚部、２６…第２収納部、２６ａ…収納口、２７…非接触カードリーダ、２８…磁気カードリーダ、３０…操作画面、３１…操作表示部、４０…記録媒体読取部、４１…テンキー、４１ａ…テンキー、４１ｂ…テンキー、４５…カード型記録媒体、４６…非接触型記録媒体、５０…金銭取扱部、５１…第１シャッター部、５２…第２シャッター部、５５…金銭収納空間、５６…トレー、５７…紙幣投入口、５８…紙幣受取口、６０…空間、７０…メニュー画面、７１〜７５…操作ボタン、７１ａ…任意金額取引ボタン、７１ｂ〜７１ｄ…定額取引ボタン、８０…第１案内画面、８１…文字表示エリア、８２…画像表示エリア、８２ａ…第１画像表示エリア、８２ｂ…第２画像表示エリア、８２ｃ…第３画像表示エリア、８２ｄ…第４画像表示エリア、８２ｅ…第５画像表示エリア、８３…取引項目表示エリア、８４…取消ボタン、１００…ＡＴＭ、１００ａ…ＡＴＭ、１１０…本体、１２０…フロントパネル、１２１…突出部、１２２…パネル部、１２３…テーブル部、１２４…収納部、１２５…棚部、１２６…通帳取扱部、１５０…金銭取扱口、１５１…紙幣取扱部、１５２…硬貨取扱部、１５３…シャッター、１５４…シャッター、２００…制御部、２１０…明細印字ユニット、２２０…伝送制御部、２２４…記録媒体取扱ユニット、２２５…硬貨ユニット、２２６…紙幣ユニット、２２７…電源部、２２８…センサ部、２３０…記憶装置部、２４０…通帳明細印字ユニット、３００…ネットワーク、４００…センタ、７００…メニュー画面、７０１…第１操作表示画面、７０２…第２操作表示画面、７５０…第１取引画面、７５１…情報表示部、７５２…操作ボタン、７６１…第２取引画面、７６１ａ〜７６１ｃ…操作ボタン、８００…第１案内画面。
【図１】
2009086801.tif 000003
【図２】
2009086801.tif 000004
【図３】
2009086801.tif 000005
【図４】
2009086801.tif 000006
【図５】
2009086801.tif 000007
【図６】
2009086801.tif 000008
【図７】
2009086801.tif 000009
【図８】
2009086801.tif 000010
【図９】
2009086801.tif 000011
【図１０】
2009086801.tif 000012
【図１１】
2009086801.tif 000013
【図１２】
2009086801.tif 000014
【図１３】
2009086801.tif 000015
【図１４】
2009086801.tif 000016
【図１５】
2009086801.tif 000017
【図１６】
2009086801.tif 000018
【図１７】
2009086801.tif 000019
【図１８】
2009086801.tif 000020
【図１９】
2009086801.tif 000021
【図２０】
2009086801.tif 000022
【図２１】
2009086801.tif 000023
【図２２】
2009086801.tif 000024